(57)【要約】      （修正有）【課題】止め輪自体に脱落防止機構を備えることにより、振動環境下で使用可能な止め輪を提供する。【解決手段】止め輪１の一部に拘束ピンが挿入される穴５または切り欠きを有する突出部４を設けたものにおいては、拘束ピンによって止め輪の回転を止めることができるため、合口３が軸端の溝に乗り上げることがなくなり、止め輪が脱落するのを防止することができる。また、各々の止め輪の外周部２の合口に対向する部分に屈曲部を設けたものを、一方の屈曲部が他方の合口の間に収まるよう２枚重ねて止め輪としたものにおいては、常に合口の開口部分が塞がれているため、合口が軸端の溝に乗り上げることがなくなり、止め輪が脱落するのを防止することができる。【選択図】図１
0003170325.tif 000002
【実用新案登録請求の範囲】
【請求項１】
外周部および合口からなる止め輪において、外周部の一部に拘束ピンが挿入される穴または切り欠きを有する突出部を設けたことを特徴とする止め輪。
【請求項２】
外周部の合口に対向する部分に屈曲部を設けた２枚の止め輪を、一方の屈曲部が他方の合口の間に収まるよう重ね合わせたことを特徴とする止め輪。
【請求項３】
２枚の止め輪それぞれの外周部の合口側に一方の合口が他方の外周部を押さえ込むようひねりを加えたことを特徴とする請求項２に記載の止め輪。
【考案の詳細な説明】
【技術分野】
【０００１】
本考案は、航空機や一般産業機械等において、軸の抜け止めに適用される止め輪に関する。
【背景技術】
【０００２】
従来、軸の抜け止め構造は、軸端に設けた溝にJIS B2804等の公共規格で定められた止め輪を嵌め込む方法が多く用いられている。また、軸に横穴をあけ、割りピンを貫通させる方法もある。固定部品を全く使用しない形態としては、軸端を潰して軸の径を大きくする方法、軸支持部をカシメる方法がある。
【０００３】
図８は、従来の止め輪の基本構成を示した図である。止め輪１００には合口１０１が設けられており、専用の着脱工具により合口１０１を広げておいて軸端に設けた溝に嵌め込む。しかし、振動等により止め輪が回転すると、合口から軸端の溝に乗り上げて、最終的に止め輪が軸から脱落してしまうことがあった。そのため、止め輪は振動環境下での使用が敬遠される場合があった。特に航空機の場合、万一止め輪が脱落した場合、重大事故につながる恐れがあるため、止め輪の使用が原則的に禁止されていたり，使用の許可範囲が限られていたりし，使用機会は少なかった。特許文献１においては、脱落防止プレートを別途に取り付けて、この問題を解決している。
【先行技術文献】
【特許文献】
【０００４】
【特許文献１】実開昭５９−１９１４０７号公報
【考案の概要】
【考案が解決しようとする課題】
【０００５】
止め輪は、着脱が容易であるとのメリットがあるものの、振動環境下では脱落のおそれがあった。特許文献１では、別途の脱落防止プレートによって脱落を防止しているが、脱落防止プレートと止め輪を軸に装着した後に第２の突止を折り曲げる必要があり、作業性の悪いものであった。
【課題を解決するための手段】
【０００６】
そこで、本考案の止め輪は、上述の課題を解決するため、止め輪自体に脱落防止機構を備えたことを特徴としている。
本考案の第１の形態は、止め輪の一部に拘束ピンが挿入される穴または切り欠きを有する突出部を設けたものである。
これによれば、拘束ピンによって止め輪の回転を止めることができるので、合口が軸端の溝に乗り上げることがなくなり、止め輪が脱落するのを防止することができる。
本考案の第２の形態は、各々の止め輪の外周部の合口に対向する部分に屈曲部を設けたものを、一方の屈曲部が他方の合口の間に収まるよう２枚重ねて止め輪としたものである。
このようなものであれば、軸端の溝に装着した状態では合口に開口部分がないため、合口が軸端の溝に乗り上げることがなくなり、止め輪が脱落するのを防止することができる。
【考案の効果】
【０００７】
以上説明したように、本考案の止め輪によれば、振動環境下においても脱落することなく使用することができる。
【図面の簡単な説明】
【０００８】
【図１】第１の実施形態に係る止め輪の概略図である。
【図２】第１の実施形態の変形例を示す概略図である。
【図３】第１の実施形態に係る止め輪の使用例を示す図である。
【図４】第２の実施形態に係る止め輪を分解した図である。
【図５】第２の実施形態に係る止め輪の概略図である。
【図６】第２の実施形態に係る止め輪において、ひねりを加えたものを示す図である。
【図７】第２の実施形態に係る止め輪の使用例を示す図である。
【図８】従来の止め輪の概略図である。
【考案を実施するための形態】
【０００９】
〔第１の実施形態〕
以下、本考案の第１の実施形態を、図面を参照して説明する。
図１は、本考案の第１の実施形態を示す概略図である。止め輪１には従来の止め輪と同じく、外周部２と合口３を有している。外周部２の一部には突出部４が設けられ、この突出部４に拘束ピンが挿入されるための穴５があけられている。図１では突出部４は合口３に対向する位置に設けられているが、外周部２の一部であれば、合口３に対向する位置以外に設けても構わない。
【００１０】
図２は、穴５に代えて切り欠き６としたものである。止め輪の回転を止めれば脱落は防止できるので、穴ではなく切り欠きとしても構わない。
【００１１】
図３は、第１の実施形態の止め輪を用いて軸の抜け止めを行った例を断面図で示したものである。軸７の左端には溝９が形成されており、本考案に係る止め輪１が嵌め込まれている。突出部４に設けられた穴５または切り欠き６には拘束ピン１０が挿入され、拘束ピン１０はハウジング８aに固定されている。ハウジング８aへの拘束ピン１０の固定方法は、圧入、接着等の周知の方法により行えばよい。
軸７の右端部は径を大きくしているので、この大径部がハウジング８ｂにあたり、軸７は左側に抜けることはない。軸７が右側に抜けようとする動きは止め輪１が防いでいる。止め輪１は拘束ピン１０で拘束されているため、振動が加わっても回転せず、その結果、合口３が溝９に乗り上げることがなくなるので、止め輪１が脱落して軸７が抜け落ちることはない。
【００１２】
〔第２の実施形態〕
以下、本考案の第２の実施形態を、図面を参照して説明する。
本考案の第２の実施形態は、各々の止め輪の外周部の合口に対向する部分に屈曲部を設けたものを、一方の屈曲部が他方の合口の間に収まるよう２枚重ねて止め輪としたものである。
【００１３】
図４は、重ね合わされる前の一方の止め輪を示したものである。図４において、(a)は平面図、(b)は右側面図である。外周部の合口に対向する部分に屈曲部１２を設けている。外周部の厚みtだけ屈曲しており、屈曲部の長さｂは合口の開口部の長さaよりも小さい。
【００１４】
図５は、止め輪１１を２枚重ね合わせた状態を示している。図５において、(a)は平面図、(b)は右側面図である。屈曲部１２が合口の間に収まるため、２枚の止め輪は重ね合わせることができる。また、それぞれ外周部の厚みｔだけ屈曲させているので、お互いの外周部を隙間なく重ね合わせることができる。また、それぞれの屈曲部１２が合口の間に収まっているため、お互いが回転することがなく、常に一方の合口の開口を他方の屈曲部が塞ぐ状態になる。
【００１５】
さらに、外周部の合口側に図６に示すようなひねりを入れると良い。図６において、(a)は平面図、(b)は右側面図である。２枚の止め輪を重ねたときに、ひねり部１３のばね作用によって一方の合口が他方の外周部を押さえ込むため、お互いが回転するのをより効果的に抑制することがでる。
【００１６】
図7は、第２の実施形態の止め輪を用いて軸の抜け止めを行った例を断面図で示したものである。軸７の左端には溝９が形成されており、本考案に係る止め輪11’が嵌め込まれている。嵌め込み作業に専用工具は必要なく、従来の止め輪に使用される工具を２個使用して、２枚の合口を同時に広げることで行うことができる。
軸７の右端部は径を大きくしているので、この大径部がハウジング８ｂにあたり、軸７は左側に抜けることはない。軸７が右側に抜けようとする動きは止め輪11’が防いでいる。止め輪11’の合口の開口部は常に一方の屈曲部が塞いでおり、合口が溝９に乗り上げることがなくなるので、止め輪11’が脱落して軸７が抜け落ちることはない。
【符号の説明】
【００１７】
１，１１’ ，１００…止め輪
２…外周部
３，１０１…合口
４…突出部
１２…屈曲部
【図１】
0003170325.tif 000003
【図２】
0003170325.tif 000004
【図３】
0003170325.tif 000005
【図４】
0003170325.tif 000006
【図５】
0003170325.tif 000007
【図６】
0003170325.tif 000008
【図７】
0003170325.tif 000009
【図８】
0003170325.tif 000010
【手続補正書】
【提出日】平成23年7月8日(2011.7.8)
【手続補正１】
【補正対象書類名】実用新案登録請求の範囲
【補正対象項目名】全文
【補正方法】変更
【補正の内容】
【実用新案登録請求の範囲】
【請求項１】
軸端に設けられた溝に嵌め込むことで軸の抜け止めを行う合口を備えた止め輪であって、前記合口が前記溝に乗り上げるのを防止する脱落防止機構を設けたことを特徴とする止め輪。
【請求項２】
前記脱落防止機構は、外周部の一部に拘束ピンが挿入される穴または切り欠きを有する突出部であることを特徴とする請求項１に記載の止め輪。
【請求項３】
前記脱落防止機構は、外周部の合口に対向する部分に屈曲部を設けた２枚の止め輪を、一方の屈曲部が他方の合口の間に収まるよう重ね合わせたものであることを特徴とする請求項１に記載の止め輪。
【請求項４】
２枚の止め輪それぞれの外周部の合口側に一方の合口が他方の外周部を押さえ込むようひねりを加えたことを特徴とする請求項３に記載の止め輪。